(57)【要約】【課題】新たな機種への変更時の部品の共通化を効果的に行う。【解決手段】遊技盤の前面に組み込まれる遊技領域規制枠２１を、枠本体５５、外レール５６、第１内レール５７及び第２内レール５８から構成する。外レール５６、第１内レール５７及び第２内レール５８は、それぞれ枠本体５５の所定位置にビス６２等により組み付け固定される。なお、第１内レール５７と第２内レール５８の内部には、ＬＥＤが所定ピッチで配列されたＬＥＤ基板５９，６０が組み込まれる。これら部品が枠本体５５に組み付け固定されると、外レール５６と第１内レール５７との間に、打ち出されたパチンコ球を遊技領域に向けて案内するための誘導通路であるガイド部５５ａが形成される。また、第１内レール５７及び第２内レール５８の、枠本体に形成された開口５５ａに連なる外壁面５７ａ，５８ａが、それぞれ遊技領域を規制するための壁面となる。【選択図】        図５
2004201931.tif 000002
【特許請求の範囲】
【請求項１】
遊技の際に打ち出された遊技媒体を入賞口へ入賞させるための入賞領域が少なくとも設けられた遊技盤と、前記遊技盤の所定領域を前記打ち出された遊技媒体を流下させるための遊技領域として規制するとともに、所定の遊技状態に応じて制御処理が行われる制御装置に基づいて作動される演出装置が組み込まれた遊技領域規制枠とを備え、これら遊技盤及び前記遊技領域規制枠とが着脱自在のユニットとして、遊技機の本体枠内に組み込まれることを特徴とする弾球遊技機。
【請求項２】
前記遊技領域規制枠には、前記遊技の際に発射装置に打ち出される遊技媒体を前記遊技領域へと誘導する誘導通路が設けられていることを特徴とする請求項１記載の弾球遊技機。
【請求項３】
前記誘導通路の終端部に、遊技領域へと打ち出される遊技媒体を前記誘導通路に逆流して戻ることを防止させるための逆流防止部材を設けたことを特徴とする請求項１又は２記載の弾球遊技機。
【請求項４】
前記遊技媒体規制枠は、装飾性を有する一体成形であることを特徴とする請求項１〜３いずれか記載の弾球遊技機。
【請求項５】
前記遊技媒体規制枠に組み込まれる演出装置とは、前記入賞領域又は前記遊技盤に組み込まれた装飾を照明し得るための発光素子であることを特徴とする請求項１〜４いずれか記載の弾球遊技機。
【請求項６】
前記遊技媒体規制枠、又は遊技盤のいずれか一方には、遊技を行う上での主制御を行うための記憶情報、又は遊技の際に作動する各種装置を作動させるための記憶情報の少なくともいずれかを記憶したコンピュータ読み取り可能な情報記憶媒体が組み込まれることを特徴とする請求項１〜５いずれか記載の弾球遊技機。
【発明の詳細な説明】
【０００１】
【発明の属する技術分野】
本発明は、パチンコ店等の遊技場に設置して使用されるパチンコ機等の弾球遊技機に関するものである。
【０００２】
【従来の技術】
遊技場に設置される弾球遊技機としてパチンコ機が挙げられる。このパチンコ機には遊技機の本体枠内に遊技盤が配設されており、その遊技盤の前面には開閉自在な前面枠が設けられている。このようなパチンコ機では遊技場に設置されている状態で、且つ前面枠がロックして閉じられているときには、何人もパチンコ機の内部の遊技盤や電子機器等には触れることができないようになっている。なお、遊技場の作業者がパチンコ機の内部に触れる必要があるときには、ロックを外して前面枠を開いて作業を行うことになる。
【０００３】
このようなパチンコ機は、新たな機種に切り替える場合、設置されていた古い機種と新たな機種とを機種ごとに全て入れ替えることが一般的である。しかし、パチンコ機を構成する部品には共通化可能な部品を多く用いているため、交換する必要のない部品まで交換することにより、結果的にコストアップの原因となる。このため、共通化可能な部品を備えた部分のみを遊技場に据え置きにし、新たに変更となる部分のみを入れ替えることが現在検討されている。この場合、交換部を遊技盤、及び液晶（ＬＣＤ）パネルユニット及び制御回路基板が組み付けられた球通路ユニットから構成された遊技盤ユニットから構成し、据え置き部を基本動作（パチンコ玉の打ち出しや入賞による払い出し）を行うための装置やスピーカー及びランプ等の演出装置を組み込んだ遊技機の本体枠から構成し、遊技盤ユニットのみを遊技機の本体枠に対して交換することで新機種への着脱交換が可能となる。
【０００４】
【発明が解決しようとする課題】
上記パチンコ機の場合、所定の入賞領域が形成された遊技領域へと遊技媒体を誘導するためのガイドレールが遊技盤に対し組み付けられている。このガイドレールは主にステンレス等の金属により形成され、強固に固定されているため、機種交換の際に遊技場から取り外されたパチンコ機を分解して遊技盤を廃棄する場合、遊技盤に組み付けられたガイドレールを手間をかけて取り外す必要がある。一方、取り外されたガイドレールは、正規の形状を維持しておらず、折れ曲がっていたり破損している場合が多く、リユースできない場合が多い。また、新しい遊技盤を製造する場合、ガイドレールを工具を用いて遊技盤に組み付ける作業が必要となるので、製造段階での工数も多くなるという問題がある。
【０００５】
本発明は、製造段階での工数削減を図るとともに、遊技機を構成する部品の共通化可能部を多くし、また、容易に機種交換が行えるようにした弾球遊技機を提供することを目的とする。
【０００６】
【課題を解決するための手段】
上記目的を達成するために、本発明の弾球遊技機は、遊技の際に打ち出された遊技媒体を入賞口へ入賞させるための入賞領域が少なくとも設けられた遊技盤と、前記遊技盤の所定領域を前記打ち出された遊技媒体を流下させるための遊技領域として規制するとともに、所定の遊技状態に応じて制御処理が行われる制御装置に基づいて作動される演出装置が組み込まれた遊技領域規制枠とを備え、これら遊技盤及び前記遊技領域規制枠とが着脱自在のユニットとして、遊技機の本体枠内に組み込まれるものである。なお、遊技媒体としては、パチンコ球からなる遊技球等が、入賞領域としては、始動入賞口、通常入賞口又はアタッカ等の入賞に係わる構造物を備えた場所がそれぞれ挙げられる。また、所定の遊技状態とは、遊技が行われない待ち状態、所定の入賞口へ遊技媒体を入賞させた状態、該入賞に基づき抽選手段にで抽選させる状態、記憶手段にて記憶される遊技履歴が予め定められた状況になる状態などが挙げられる。また、演出装置とは、ランプ、ＬＥＤ等の電飾や可動物を可変させる可動装置、音声を発声させる音声装置等が挙げられる。
【０００７】
また、前記遊技領域規制枠には、前記遊技の際に発射装置により打ち出される遊技媒体を前記遊技領域へと誘導する誘導通路が設けられていることが好ましい。また、前記誘導通路の終端部に、遊技領域へと打ち出される遊技媒体を前記誘導通路に逆流して戻ることを防止させる逆流防止部材を設けたことが好ましい。このようにして構成される前記遊技媒体規制枠は前記遊技盤に着脱自在であることが好ましい。
【０００８】
なお、前記遊技媒体規制枠は、装飾性を有する一体成形（例えば樹脂成形）であることが好ましい。また、前記遊技媒体規制枠組み込まれる演出装置とは、前記入賞領域又は前記遊技盤に組み込まれた装飾を照明し得るための発光素子であることが好ましい。また、前記遊技媒体規制枠、又は遊技盤のいずれか一方には、遊技を行う上での主制御を行うための記憶情報、又は遊技の際に作動する各種装置を作動させるための記憶情報の少なくともいずれかを記憶したコンピュータ読み取り可能な情報記憶媒体が組み込まれることが好ましい。
【０００９】
【発明の実施の形態】
図１及び図２に示すように、パチンコ機２の本体枠３の内部には遊技盤４が配設されており、本体枠３の前面には前面枠５が開閉自在に設けられている。この前面枠５の中央には開口５ａが形成されており、この開口５ａは前面枠５の裏側に着脱自在に取り付けられるガラス枠６のガラス板７により遮蔽されている。また、前面枠５の下方には、打球（遊技媒体）供給用の供給皿８及び遊技媒体となるパチンコ球の打ち出し強さを調節する操作ハンドル９が設けられている。遊技者が供給皿８にパチンコ球を投入すると、内部に設けられた通路によりパチンコ球は発射装置へと誘導される。そして、操作ハンドル９を操作して遊技盤４上にパチンコ球を打ち出す。なお、前面枠５が閉じているロック状態の場合には、遊技者や遊技場の作業者は、前面枠５の裏側に取り付けられたガラス板７を介して遊技盤４の遊技領域４ａを視認できると共に遊技領域４ａ上を流下していく打ち出されたパチンコ球を見ることはできるが、遊技盤４にはもちろんのこと、本体枠３の内部に備えられた電子機器にも触れることはできないようになっている。
【００１０】
このパチンコ機２は、図示しない発射装置や払い出し装置等の装置や、これら装置を作動させるための制御回路基板の他に、上述した前面枠５が開閉自在に組み付けられた本体枠３と、この本体枠３の空間部に組み込まれる遊技盤ユニット１５とから構成されている。図３に示すように、遊技盤ユニット１５は、遊技盤４、支持体２０及び遊技領域規制枠２１から構成されており、遊技盤４を支持体２０と遊技領域規制枠２１とで挟持する構成となっている。
【００１１】
遊技盤４の正面側には、障害釘が打ち付けられる他に、始動入賞口３０、通常入賞口３１及びアタッカ３２の他に、飾り３３が配設されている。なお、これらの構造物は公知であるので説明は省略する。また、図４に示すように、遊技盤４の略中央には開口４ｂ（図４参照）が形成され、この開口４ｂにセンター役物３５が組み付けられる。なお、遊技盤ユニット１５を本体枠３に組み付けると、センター役物３５に形成された開口３５ａを介して、支持体２０に組み付けられた液晶表示（ＬＣＤ）パネルユニット５０が視認できるようになっている。
【００１２】
図４に示すように、遊技盤４の後面には遊技を行う際に作動が行われる各種装置を制御するためのメインプログラムやＬＣＤパネルユニット５０における可変表示制御を行うための演出プログラムが記憶されたプログラムＲＯＭ（情報記憶媒体）４０及び、ＬＣＤパネルユニット５０で表示する画像データ、音声データ、メインプログラム等に基づいて行われる処理状況に応じて各種装置を作動させるためのデータ等が記憶されているデータＲＯＭ（情報記憶媒体）４１、メモリコントローラが組み付けられた回路基板４２が設けられている。この回路基板４２にはコネクタ４３が設けられており、支持体２０に組み付けられた主制御回路装置（基板）４４に連接させるためのコネクタ４５が嵌め込まれる。これにより、主制御回路基板４４と回路基板４２とがケーブル４６、４７を介して電気的に接続される。なお、本実施形態では回路基板に組み付ける情報記憶媒体としてＲＯＭを挙げたが、これに限定する必要はなく、ＲＡＭ（Ｒａｎｄｏｍ  Ａｃｃｅｓｓ  Ｍｅｍｏｒｙ）を組み付けてもよい。この場合、組み付け作業時にプログラムやデータ等を記憶させるようにしたり、機種替えの際に又は弾球遊技機の起動時にプログラムやデータをインストールするようにする。なお、インストールはパチンコ店等のホールコンピュータと接続させ、ホールコンピュータに記憶されたプログラムやデータを用いて行うようにすると好適である。
【００１３】
図３及び図４に示すように、支持体２０には図柄表示装置である液晶表示（ＬＣＤ）パネルユニット５０の他に、主制御回路装置４４や副制御回路装置５１が組み付けられる。この支持体２０の前面には複数のリブ２０ａが設けられ、これらリブ２０ａにより球通路２０ｂが形成される。遊技を行った際に各入賞口及びアウト口に入った遊技球は、リブ２０ａにより形成された球通路２０ｂを通過して所定の受け部に誘導される。この支持体２０の上下４箇所にはボス５２が形成されており、このボス５２には後述する遊技領域規制枠２１に設けられた係止つまみ６３を挿通させるための開口５３が形成されている（図３参照）。このボス５２は遊技盤４に形成された開口４ｃに後面側から挿通されることで、遊技盤４と支持体２０との位置決めが行われる。
【００１４】
図５に示すように、遊技領域規制枠２１は、枠本体５５に、外レール５６、第１内レール５７、第２内レール５８、ＬＥＤ基板５９，６０から構成されている。このうち、枠本体５５、外レール５６、第１内レール５７及び第２内レール５８は例えばポリアセタール等の摺動性、耐摩耗性に優れた樹脂材から形成されている。なお、第１内レール５７と外リール５６との間は、打ち出された遊技球を遊技領域４ａに向けて誘導するためのガイド部５５ａとなる。また、枠本体５５の中央には、遊技における遊技領域を規制（形成）するための開口５５ｂが形成され、その下方に入賞口に入賞しなかった遊技球を所定の受け部に導くためのアウト口３４の前面装飾３４ａが形成される。第１内レール５７及び第２内レール５８の側壁面５７ａ，５８ａは開口５５ｂに面しており、遊技領域４ａを規制するための壁面となる。なお、外レール５６、第１内レール５７及び第２内レール５８は、それぞれビス６２等により枠本体５５に組み付け固定される。
【００１５】
また、この枠本体５５の後面の上端部及び下端部のそれぞれ２箇所計４箇所にはボス（図示せず）が形成され、このボスにロック機構である回動自在な係止つまみ６３が取り付けられる。このボスは遊技盤４に形成された開口４ｃに挿通されることで、枠本体５５と遊技盤４との位置決め係合される。また、係止つまみ６３は支持体２０に形成されたボス５２の開口５３に挿通された後に、開口５３に対して水平位置から垂直位置へと回動させることで、遊技盤４を挟持した状態で遊技領域規制枠２１と支持体２０との係合を行うことが可能となる。なお、ロック機構の構造及び個数は遊技盤ユニットの構成等を考慮して、適宜設定することが可能である。
【００１６】
また、第１内レール５７が取り付けられる枠本体５５の上方終端部（図５中５５ｃ）には、打ち出された遊技球を外レール５６と第１内レール５７との間に形成されるガイド部（誘導通路）５５ａへと戻らないようにするための逆流防止片６５が組み付けられる。この逆流防止片６５は、枠本体５５に組み付けられたピン６６を中心にして一方向のみ回転可能となるように組み付けられる。またこの逆流防止片６５は巻きバネ６７の付勢によりガイド部５５ａの先端を遮蔽するように位置する。例えば遊技球が発射装置により発射されると、ガイド部５５ａにより遊技領域４ａに向けて誘導される。そして、遊技球が逆流防止片６５に当接すると、巻きバネ６７の付勢に抗して逆流防止片６５が回動し、遊技球が遊技領域４ａへと打ち出されるが、逆方向には回動しないため、一度打ち出された遊技球はガイド部５５ａへ戻ることができない。
【００１７】
第１内レール５７及び第２内レール５８の内部には、ＬＥＤ７０（図６参照）が所定ピッチで配列されたＬＥＤ基板５９，６０が組み込まれる。なお、第１内レール５７、第２内レール５８の内部の構成は同一の構成となるため、以下では第１内レール５７のみの説明を行う。図６に示すように、第１内レール５７の遊技領域４ａ側の内壁面５７ａは透過性からなる凸型となっており、点灯したＬＥＤ７０の光を集光し、遊技領域４ａに向けて照射する。なお、遊技盤４の第１内レール５７の近傍となる位置にはレンズ成形からなる飾り３３が配設され、且つこの飾り３３の内部には反射面７１が形成されているので、上記ＬＥＤ７０からの照射光が飾り３３の内部に透過すると、反射面７１で反射して飾り３３のレンズ面Ｒに向かって発光する。なお、飾り３３の内部に形成される反射面７１は、反射板、プリズム等を配置することで形成することが可能である。さらに、飾り３３の内壁面３３ａを凹凸を設けた拡散面から構成することで、飾り３３を明るく発光させることができる。なお、ＬＥＤ基板５９，６０に組み付けられるケーブル７３，７４（図５参照）は枠本体５５の下部に形成された開口５５ｅ，５５ｆに挿通された後に、ランプ制御回路装置（基板）等の制御回路装置に接続され、所定の遊技状況に応じて制御処理が行われる主制御回路装置（基板）４４等に基づいて点灯作動される。
【００１８】
図７〜１０に示すように、セキュリティーキー８０は、遊技領域規制枠２１と遊技盤４との封印処理、及び遊技盤ユニット１５と本体枠３との封印処理をそれぞれ行うために設けられている。このセキュリティーキー８０は、操作つまみ部８２と係合部８３と連結部８４とから構成される。係合部８３は、軸部８３ａに上下各２個の計４個の係止突起８３ｂが設けられている。このうち、操作つまみ部８２側の係止爪８３ｂは、枠本体５５の開口７５に挿通された後に、キーロックケース８５に形成された開口８５ａにその先端が挿通された後に係合爪８５ｂと係合し、遊技盤４と遊技領域規制枠２１とを封印処理する。また、係合部８３の先端縁に形成された係止突起８３ｂは、本体枠３に組み込まれたキーシリンダー８６の開口８６ａに挿通され係止爪８６ｂと係合し、遊技盤ユニット１５と本体枠３とを封印処理する。また、軸部８３ａの操作つまみ部８２側の端縁には、遊技領域規制枠２１を構成する枠本体５５に形成された開口７５に形成されたガイド溝７５ａ及び遊技盤４に組み付けられたキーロックケース８５の開口８５ａに形成されたガイド溝８５ｃに挿通されるガイド片８３ｃが形成されている。なお、係止突起８３ｂに対してガイド片８３ｃは、９０°回転した位置に設けられている。
【００１９】
次に、このようにして構成されたパチンコ機の作用について説明する。図３に示すように、まず、枠本体５５の後面側にロック機構である操作つまみ６３を回動自在に組み付ける。そして、枠本体５５の前面に外レール５６をビス６２で固定する。また、枠本体５５の所定位置にＬＥＤ基板５９，６０を組み付けた後に、第１内レール５７及び第２内レール５８をビス６２で固定する。なお、第１内レール５７を組み付ける際には、枠本体５５のガイド部５５ｃの先端に、戻り球防止片６５がピン６６を介してに組み付けられる。このようにして、遊技領域規制枠２１が組み立てられる。
【００２０】
図３及び図４に示すように、遊技盤ユニット１５を組み立てる際には、センター役物３５、所定の入賞口、飾り３３及びプログラムＲＯＭ４０やデータＲＯＭ４１を搭載した回路基板４２がそれぞれ組み付けられた遊技盤４の前面から遊技領域規制枠２１を組み付ける。この際、遊技領域規制枠２１の後面に設けられた操作つまみ６３を遊技盤４の開口４ｃに挿通させることにより、遊技盤４と遊技領域規制枠２１との位置決めが行われる。その後に、ＬＣＤパネルユニット５０及び主制御回路装置（基板）４４等が組み付けられた支持体２０を遊技盤４の後面に組み付ける。この際、支持体２０に形成されたボス５２を遊技盤４の開口４ｃに挿入する。この際、ボス５２に形成された開口５３に操作つまみ６３が挿通される。そして、操作つまみ６３を、その長手方向が開口５３の長手方向と水平となる状態から垂直となる状態へと回転させると、遊技盤４を介して遊技領域規制枠２１と支持体２０とが係合される。これにより、遊技盤ユニット１５が完成する。
【００２１】
なお、完成した遊技盤ユニット１５には、遊技領域規制枠２１の前面側からセキュリティーキー８０が組み付けられる。図８に示すように、セキュリティーキー８０の操作つまみ部８２を掴んで、係合部８３を遊技領域規制枠２１の枠本体５５に形成された開口７５から挿入する。係合部８３が所定量開口７５に挿入すると、係合部８３に形成されたガイド片８３ｃが、開口７５に形成されたガイド部７５ａ、及びキーシリンダー８５の開口８５ａに連なって形成されたガイド部８５ｃに順に挿通され、セキュリティーキー８０のスライドがその軸方向に規制される。そして、さらにセキュリティーキー８０を押し込むと、係合部８３に形成された操作つまみ部８２側の係止突起８３ｂが、キーシリンダー８５に形成された係止爪８５ｂと係合する。係止突起８３ｂと係止爪８５ｂとの係合が行われると、遊技領域規制枠２１がセキュリティーキー８０の操作つまみ部８２とキーシリンダー８５とにより挟持されるので、遊技盤４と遊技領域規制枠２１との封印処理が行われる。
【００２２】
組み立てられた遊技盤ユニット１５は、パチンコ機でのゲームを行うための各種装置（例えば発射装置、払出装置、音声装置等）及びこれら装置を作動させるための制御回路基板とが組み付けられた本体枠３に組み付けられる。なお、遊技盤ユニット１５として組み立てるときに、支持体２０に組み付けられた主制御回路基板４４に組み付けられたケーブル４６の一端に設けられたコネクタ４５を、遊技盤４に組み付けられた回路基板４２のコネクタ４３に嵌め込む。これにより、ケーブル４６、４７を介して主制御回路基板４４と回路基板４２とが電気的に接続される。そして、図２に示すように、遊技盤ユニット１５を本体枠３の取り付け空間部３ｂに組み込んだ後に、所定の固定部材を用いて固定し、遊技盤ユニット１５と、本体枠３との電気的装置の接続をハーネス等を介して行う。
【００２３】
図９及び図１０に示すように、遊技盤ユニット１５を本体枠３に組み付けるとセキュリティーキー８０の係合部８３の先端がキーロックケース８６の開口８６ａに挿通される。そして、係合部８３の先端に形成された係止突起８３ｂがキーロックケース８６に形成された係合爪８６ｂと係合する。これにより、遊技盤ユニット１５を本体枠３に組み付けると同時に、封印処理も行われる。なお、主電源を入れると、主制御回路では回路基板４８に組み込まれたＲＯＭからメインプログラムや各種データを読み出して各種装置を作動させる。
【００２４】
このようにして組み立てられ、且つパチンコ店等の遊技場に配設されたパチンコ機の機種替えを行う場合には、まず、セキュリティーキー８０の操作つまみ部８２を掴んで回転させる。図１１に示すように、操作つまみ部８２を回転させると連結部８４がねじれた後に破断して、操作つまみ部８２と係合部８３とが分離する。操作つまみ部８２が取れると、遊技盤ユニット１５と本体枠３との封印処理が解除されるので、本体枠３を固定するために用いた所定の固定部材による固定及び遊技盤ユニット１５と本体枠３との電気的装置のハーネス等による接続を解除した後に遊技盤ユニット１５を本体枠３から取り外す。図１２に示すように、遊技盤ユニット１５を本体枠３から取り外すと、セキュリティーキー８０の係合部８３は、キーロックケース８６に保持される。図１３に示すように、キーロックケース８６に保持されたセキュリティーキー８０の係合部８３は、その長手方向を中心に所定量回転させ、係止突起８３ｂと係止爪８６ｂとの係合を解除した後に引き抜かれる。
【００２５】
本体枠３から取り外された遊技盤ユニット１５は、遊技領域規制枠２１と支持体２０との係合を解除した（操作つまみ６３の長手方向と開口５３の長手方向が一致する位置まで操作つまみ６３を回転させる）後に、支持体２０、遊技盤４の順で取り外す。なお、支持体２０を取り外す前に、各種基板を連接させるためのケーブルに組み付けられたコネクタ４３，４５を取り外す。その後、支持体２０に組み付けられたＬＣＤパネルユニット５０の動作確認をした後に、新しい遊技性を有する遊技盤４に組み付けられる。同様にして、遊技領域規制枠２１に組み付けられたＬＥＤ基板５９，６０の動作確認を行った後に、遊技領域規制枠も新しい遊技盤に組み付けられる。これにより、遊技盤４と回路基板４２とを交換するのみで、新しい遊技性を有するパチンコ機に機種交換を行うことができるようになるとともに、共通部品を多くすることが可能となる。
【００２６】
なお、本実施形態の遊技領域規制枠２１を組み込んだパチンコ機で遊技を行った場合、第１及び第２内レール５７，５８の内部に組み込まれたＬＥＤ基板５９，６０上のＬＥＤ７０を発光させ、遊技領域４ａ内に形成された飾り３３や各入賞口に照射し得るので、遊技者には飾り３３の内部でＬＥＤ７０が発光したように見える。また、ＬＥＤ基板５９，６０を第１内レール５７及び第２内レール５８の内側にそれぞれ設けることで、遊技盤４に組み込むＬＥＤの個数を減らすことができ、パチンコ機を構成する部品の共通化を行うことができる。
【００２７】
本実施形態では、遊技盤にプログラムＲＯＭ及びデータＲＯＭを組み付けた回路基板を具備したが、これに限定する必要はなく、球通路を備えた支持体や遊技領域規制枠に設けてもよい。例えば、遊技領域規制枠にプログラムＲＯＭを組み付ける場合には、ＬＥＤ基板上にＲＯＭを設けることが有効である。この場合、新しい機種への再利用する場合には、新規ＲＯＭへ交換する必要はあるが、新規の回路基板を設ける必要がない。
【００２８】
本実施形態では、遊技盤にプログラムを記憶させたプログラムＲＯＭ、データＲＯＭやメモリコントローラが組み込まれた回路装置を組み込んだが、これに限定する必要はなく、プログラムＲＯＭ、データＲＯＭ及びメモリコントローラの他に、ＣＰＵにて前記プログラム等の情報に基づいて制御させる制御装置や、前記プログラム等の情報を情報記憶媒体に書き込むための回路が組み込まれ、転送された所定情報を記憶させる制御回路基板を遊技盤に組み付けるようにしてもよい。
【００２９】
故に、プログラムやデータを記憶させる情報記憶媒体は、読み出し専用のメモリからなるＲＯＭに限定する必要はなく、所定記憶情報の書き換えが可能となるＲＡＭ（Ｒａｍｄｏｍ  Ａｃｃｅｓｓ  Ｍｅｍｏｒｙ）であってもよい。この場合、ＲＡＭが組み込まれた遊技盤を組み付けた後で、各種データ又は遊技の際に実行されるプログラムを記憶させることができる。また、遊技盤に組み込まれているＲＡＭを本体枠側又は他の所定部材（例えば球通路、開口枠ユニット等）に組み込むようにしてもよい。従って、ＲＡＭに記憶されたデータ又はプログラムを書き換えるだけで新たな遊技性を備えた制御を行えるようになるので、遊技盤の交換時に、上記ＲＡＭを組み込んだ回路基板を交換せずに共有化できるようになるため、効果的なコストダウンを行うことが可能である。
【００３０】
本実施形態では、遊技盤に取り付けるプログラムＲＯＭ及びデータＲＯＭを直接回路基板を介して組み付けるようにしたが、これに限定する必要はなく、例えばＲＯＭカセットのように、上記ＲＯＭを収納部材に収納した後に遊技盤に組み付けるようにしてもよい。図１４に示すように、例えばプログラムＲＯＭ及びデータＲＯＭを収納したＲＯＭカセット９０に封印処理を行うための例えば係止爪９０ａを設ける。このＲＯＭカセット９０を例えば支持体９１に設けられた収納部７１ａに形成された開口９１ｂに取り付ける。この際、ＲＯＭカセット９０の係止爪９０ａが撓んで支持体９１の開口９１ｂ近傍の収納部側壁面に係合し、ＲＯＭカセット９０を所定位置に保持する。なお、ＲＯＭカセット９０の一端側には接続端子部（コネクタ）９４が形成されており、本体枠側に設けられた主制御回路基板９２のコネクタ９３と接続される。なお、このＲＯＭカセット９０の取り外しは、接続端子部側９４を挟持して抜くしかないが、このＲＯＭカセット９０を抜くと、係止爪９０ａが壊れるようになっている。これにより、ＲＯＭカセット９０の不正な付け替え等を防止することができる。なお、このＲＯＭカセット９０は、支持体の他に、遊技領域規制枠、ＬＣＤパネルユニット又は、後述する開口枠ユニット等に取り付けることができる。
【００３１】
なお、本発明は、図１５に示すように、着脱自在としたガラス枠６を備え持つ開口枠扉１００、及び開口枠扉１００を回動自在に保持する保持枠１０１とからなる開口枠ユニット１０２の取り付け空間部１０３を介して遊技盤ユニット１０４を着脱自在に組み付け可能とさせ、該開口枠ユニット１０２を本体枠１０５の取り付け空間部１０６を介して着脱自在に組み付ける構成からなる弾球遊技機とし、遊技を行う際に作動が行われる各種装置を設けた本体枠１０５に対して取り付けられた開口枠ユニット１０２に、前記装置を遊技状態に基づいて制御する制御回路装置を設けて接続処理をし、少なくとも遊技盤と、前記制御回路装置のプログラム制御に係わる記憶情報が格納されたコンピュータ読み取り可能な記憶媒体を設けた遊技盤ユニット１０４を着脱自在に取り付けるようにしてもよい。
【００３２】
【発明の効果】
以上のように、本発明の弾球遊技機によれば、遊技の際に打ち出された遊技媒体を入賞口へ入賞させるための入賞領域が少なくとも設けられた遊技盤と、前記遊技盤の所定領域を遊技媒体を流下させるための遊技領域として規制するとともに、所定の遊技状態に応じて制御処理が行われる制御装置に基づいて作動される演出装置が組み込まれた遊技領域規制枠とを備え、これら遊技盤及び前記遊技領域規制枠とが着脱自在のユニットとして遊技機の本体枠内に組み込まれるので、遊技領域規制枠を共有化して、遊技盤構成の異なる新規の機種替えを行うことができ、コストダウンを効率よく行うことができる。
【００３３】
また、遊技領域規制枠に、前記遊技の際に打ち出された遊技媒体を前記遊技領域へと誘導するための誘導通路を設けたり、前記誘導通路の前記遊技領域側の終端部に、遊技領域へと打ち出される遊技媒体の逆流を防止するための逆流防止部材を設けたりすることで、部品毎に組み付けずに一括して遊技盤に組み付けることができるため、作業効率を向上させることが可能となる。
【図面の簡単な説明】
【図１】本発明を実施したパチンコ機の外観を示す斜視図である。
【図２】本体枠と遊技盤ユニットとを分解して示す斜視図である。
【図３】遊技盤ユニットの構成を分解して示す斜視図である。
【図４】遊技盤と支持体との構成を分解した状態の概略を示す断面図である。
【図５】遊技領域規制枠を分解して示す斜視図である。
【図６】第１内リールの内部及び遊技盤上の飾りの構成を示す断面図である。
【図７】セキュリティーキー及び、このセキュリティーキーが挿入される遊技領域規制枠、遊技盤及び本体枠の位置関係を示す斜視図である。
【図８】セキュリティーキーを遊技盤ユニットに差し込む場合の、セキュリティーキー及びその近傍の構成を示す断面図である。
【図９】セキュリティーキーが差し込まれた遊技盤ユニットを本体枠に組み付ける場合の、セキュリティーキー及びその近傍の構成を示す断面図である。
【図１０】セキュリティーキーにより封印処理されたパチンコ機の、セキュリティーキー及びその近傍を示す断面図である。
【図１１】セキュリティーキーによる封印処理を解除した場合の、セキュリティーキー及びその近傍を示す断面図である。
【図１２】遊技盤ユニットを本体枠から取り外した場合のセキュリティーキーの状態及びその近傍を示す断面図である。
【図１３】本体枠に設けられたキーロックケースからセキュリティーキーの係合部を抜いた場合の状態を示す断面図である。
【図１４】ＲＯＭカセットを用いた場合の実施形態を示す断面図である。
【図１５】遊技盤ユニットを開口枠ユニットを介して本体枠に組み付ける場合のパチンコ機の構成を分解して示す斜視図である。
【符号の説明】
２  パチンコ機
３  本体枠
４  遊技盤
５  前面枠
２０  支持体
２１  遊技領域規制枠
３５  センター役物
４０  プログラムＲＯＭ
４１  データＲＯＭ
４２  回路基板
４４  主制御回路基板
５０  ＬＣＤパネルユニット
５５  枠本体
５６  外レール
５７  第１内レール
５８  第２内レール
５９，６０  ＬＥＤ基板
【図１】
2004201931.tif 000003
【図２】
2004201931.tif 000004
【図３】
2004201931.tif 000005
【図４】
2004201931.tif 000006
【図５】
2004201931.tif 000007
【図６】
2004201931.tif 000008
【図７】
2004201931.tif 000009
【図８】
2004201931.tif 000010
【図９】
2004201931.tif 000011
【図１０】
2004201931.tif 000012
【図１１】
2004201931.tif 000013
【図１２】
2004201931.tif 000014
【図１３】
2004201931.tif 000015
【図１４】
2004201931.tif 000016
【図１５】
2004201931.tif 000017